(57)【特許請求の範囲】
【請求項１】
基布と、該基布に植設された複数の芝葉とを備えた人工芝生の敷設構造であって、
シート形状の緩衝材が前記基布の下方に配置されており、
前記緩衝材には格子状の溝部が上面及び下面にそれぞれ形成されており、
前記上面に形成された溝部は、該溝部を構成する各縦溝間の間隔と各横溝間の間隔とが同じ大きさに形成された正方形状の格子状に設けられると共に、前記下面に形成された溝部は、該溝部を構成する各縦溝間の間隔と各横溝間の間隔とが同じ大きさに形成された正方形状の格子状に設けられ、且つ、前記下面に形成された各縦溝は前記上面に形成された各縦溝の中間に配置され、前記下面に形成された各横溝は前記上面に形成された各横溝の中間に配置されており、
前記上面に形成された縦溝と下面に形成された横溝とが交差する位置、及び前記上面に形成された横溝と下面に形成された縦溝とが交差する位置に、前記緩衝材を上下方向に貫通する貫通孔が形成され、該貫通孔が等しい間隔で縦方向及び横方向へ並設されていることを特徴とする人工芝生の敷設構造。
【請求項２】
既設の人工芝生の上方に、基布と、該基布に植設された複数の芝葉とを備えた新規の人工芝生を新たに敷設させる人工芝生のリニューアル方法であって、
格子状の溝部が上面及び下面にそれぞれ形成されたシート形状の緩衝材が、前記既設の人工芝生と新規の人工芝生との間に配置されており、
前記緩衝材の上面に形成された前記溝部は、該溝部を構成する各縦溝間の間隔と各横溝間の間隔とが同じ大きさに形成された正方形状の格子状に設けられると共に、前記緩衝材の下面に形成された前記溝部は、該溝部を構成する各縦溝間の間隔と各横溝間の間隔とが同じ大きさに形成された正方形状の格子状に設けられ、且つ、前記下面に形成された各縦溝は前記上面に形成された各縦溝の中間に配置され、前記下面に形成された各横溝は前記上面に形成された各横溝の中間に配置されており、
前記上面に形成された縦溝と下面に形成された横溝とが交差する位置、及び前記上面に形成された横溝と下面に形成された縦溝とが交差する位置に、前記緩衝材を上下方向に貫通する貫通孔が形成され、該貫通孔が等しい間隔で縦方向及び横方向へ並設されていることを特徴とする人工芝生のリニューアル方法。
【発明の詳細な説明】
【技術分野】
【０００１】
本発明は、基布に芝葉が植設された人工芝生の敷設構造、及び人工芝生のリニューアル方法に関するものである。
【背景技術】
【０００２】
従来、人工芝生は各種スポーツを行うために広く用いられており、種々の敷設構造やリニューアル方法が提案されている。
【０００３】
例えば特許文献１には、合成樹脂製のヤーンを基布に所定の間隔をおいて多数植設し、前記基布から所定の厚さに目砂を充填してなる人工芝生の改修方法であって、古い人工芝生を下地層として使用し、前記古い人工芝生の目砂層に生じた不陸部をその周辺の目砂層と略同じレベルに修正した後、新しい人工芝生を前記古い人工芝生上に敷込むことを特徴とする人工芝生の改修方法、が開示されている。
【先行技術文献】
【特許文献】
【０００４】
【特許文献１】特開平５−１５６６０３号公報
【発明の概要】
【発明が解決しようとする課題】
【０００５】
特許文献１に示される人工芝生の改修方法では、古い人工芝生と新しい人工芝生との間に、不織布等のシート材で構成されたクッション材を敷き込む構成が示されているが、このような構成においては、人工芝生と、その下方の層との間の熱膨張・収縮の差により、新たに敷設される新しい人工芝生に位置ずれなどが生じる恐れがあった。
【０００６】
本発明は、下方の層との間の熱膨張・収縮の差による影響が生じにくい人工芝生の敷設構造及び人工芝生のリニューアル方法を提供するものである。
【課題を解決するための手段】
【０００７】
上記目的を達成するため、本発明は以下のような構成としている。
即ち、本発明に係る人工芝生の敷設構造は、基布と、該基布に植設された複数の芝葉とを備えた人工芝生の敷設構造であって、
シート形状の緩衝材が前記基布の下方に配置されており、
前記緩衝材には格子状の溝部が上面及び下面にそれぞれ形成されており、
前記上面に形成された溝部は、該溝部を構成する各縦溝間の間隔と各横溝間の間隔とが同じ大きさに形成された正方形状の格子状に設けられると共に、前記下面に形成された溝部は、該溝部を構成する各縦溝間の間隔と各横溝間の間隔とが同じ大きさに形成された正方形状の格子状に設けられ、且つ、前記下面に形成された各縦溝は前記上面に形成された各縦溝の中間に配置され、前記下面に形成された各横溝は前記上面に形成された各横溝の中間に配置されており、
前記上面に形成された縦溝と下面に形成された横溝とが交差する位置、及び前記上面に形成された横溝と下面に形成された縦溝とが交差する位置に、前記緩衝材を上下方向に貫通する貫通孔が形成され、該貫通孔が等しい間隔で縦方向及び横方向へ並設されていることを特徴としている。
【０００８】
また、本発明に係る人工芝生のリニューアル方法は、既設の人工芝生の上方に、基布と、該基布に植設された複数の芝葉とを備えた新規の人工芝生を新たに敷設させる人工芝生のリニューアル方法であって、
格子状の溝部が上面及び下面にそれぞれ形成されたシート形状の緩衝材が、前記既設の人工芝生と新規の人工芝生との間に配置されており、
前記緩衝材の上面に形成された前記溝部は、該溝部を構成する各縦溝間の間隔と各横溝間の間隔とが同じ大きさに形成された正方形状の格子状に設けられると共に、前記緩衝材の下面に形成された前記溝部は、該溝部を構成する各縦溝間の間隔と各横溝間の間隔とが同じ大きさに形成された正方形状の格子状に設けられ、且つ、前記下面に形成された各縦溝は前記上面に形成された各縦溝の中間に配置され、前記下面に形成された各横溝は前記上面に形成された各横溝の中間に配置されており、
前記上面に形成された縦溝と下面に形成された横溝とが交差する位置、及び前記上面に形成された横溝と下面に形成された縦溝とが交差する位置に、前記緩衝材を上下方向に貫通する貫通孔が形成され、該貫通孔が等しい間隔で縦方向及び横方向へ並設されていることを特徴としている。
【０００９】
本発明に係る人工芝生の敷設構造、及び人工芝生のリニューアル方法は、人工芝生の基布の下方にシート状の緩衝材を配置させ、この緩衝材の上面及び下面の溝部をそれぞれ形成させるので、緩衝材上方の人工芝生と緩衝材下方の層との間に熱膨張・収縮の差が生じても、前記上面及び下面の溝部の幅が拡大又は縮小してこれらの膨張・収縮を吸収し、上方の人工芝生が位置ずれするなどの影響を抑制できる。
また、前記上面及び下面の溝部をそれぞれ格子状に形成させるので、緩衝材の上方と下方との間に生じる熱膨張・収縮の差を、縦方向と横方向の溝でそれぞれ吸収し、上方への人工芝生への影響を効果的に抑制できる。
【００１０】
また、前記緩衝材の上面の溝部と下面の溝部とを、それぞれ同一の方向へ沿って、且つ相互の位置を異ならせて形成させれば、それぞれ格子状に形成された上面の溝部と下面の溝部とが重複する部分を小さく形成できるので、各溝部の形成による緩衝材の強度の低下を抑制できるので、好ましい。
【発明の効果】
【００１１】
本発明に係る人工芝生の敷設構造、及び人工芝生のリニューアル方法によれば、上方の人工芝生と下方の層との間の熱膨張・収縮の差による影響が上方の人工芝生に生じにくい。
【図面の簡単な説明】
【００１２】
【図１】本発明に係る人工芝生の敷設構造の実施の一形態を示す断面図である。
【図２】図１の緩衝材を示す、（イ）は平面図であり、（ロ）は正面図であり、（ハ）は底面図である。
【図３】図２の緩衝材の斜視図である。
【図４】図１の緩衝材の直下の層に不陸が存在している状況を示す図である。
【図５】本発明に係る人工芝生のリニューアル方法の実施の一形態を示す断面図である。
【発明を実施するための形態】
【００１３】
本発明の実施の一形態を図面に基づき具体的に説明する。
基礎層１は、地面へのアスファルトコンクリートや透水コンクリートの打設等によって、上面が平坦面に形成されている。
基礎層１は、透水コンクリートなど透水性の材料を用い、それ自体が透水性を有して上方から流れてくる雨水などを下方へ排水させるように設けてもよく、アスファルトコンクリートなど非透水性の材料を用いて形成させ、その上面に排水用の溝などを形成させて、上方からの雨水などを横方向へ排水させるように設けても良く、これら以外の構成によって設けても良い。
【００１４】
２は人工芝生である。
人工芝生２は、基布２２の表面側に複数の芝糸２１が植設され、この植設された芝糸２１を固定するためのバッキング材２３が基布２２の裏面側に設けられており、植設された各芝糸２１の間には粒状体を充填させた粒状体層２４が設けられて、構成されている。本実施形態の人工芝生の敷設構造の人工芝生２は、ポリプロピレン製の平織りの織布を用いた基布２２に、２０００デシテックスのポリエチレン製モノフィラメントの芝糸２１を、パイル長５０ｍｍのカットパイル状に植設して芝葉を形成し、基布２２の裏面にウレタン樹脂等のバッキング材２３を塗布して前記芝糸２１の植設部分を固定して構成されている。
また、本実施形態の人工芝生２は基布２２にポリプロピレン製の平織りの織布を用いているが、これに限るものではなく、織物、編物、不織布等、芝糸２１が植設されるものであれば何でもよい。
また、本実施形態の人工芝生２は、芝糸２１に２０００デシテックスのポリエチレン製モノフィラメントを用いているが、これに限るものではなく、その糸の太さや材質、形状などを適宜選択して用いてよく、例えば８００デシテックスのポリエチレン製スプリットヤーンを芝糸２１として２０ｍｍ程度の高さに植設させてもよく、他の材質や太さの芝糸２１を用いても良い。
また、人工芝生２には、基布２２の上面からバッキング材２３の下面に貫通する貫通穴（図示せず）が形成されており、これを通じて人工芝生２の上面に降りかかった雨水などの水を、下方へ流下させるように形成されている。
【００１５】
本実施形態の粒状体層２４は、人工芝生の表面に配置された上層２４ｃと、上層２４ｃの下の中層２４ｂと、中層２４ｂの下の下層２４ａとの三層構造となされている。上層２４ｃ及び下層２４ａは、弾性粒状体で構成されており、本実施形態ではＳＢＲの粒を用いている。
また中層２４ｂは、ＳＢＲの粒からなる弾性粒状体に珪砂を配合して構成しており、前記下層弾性粒状体１００重量部に珪砂１００重量部を配合させている。
本実施形態の粒状体層２４は、ＳＢＲの粒からなる弾性粒状体と、硬質の珪砂とを用いて三層構造に形成させているが、これに限るものではなく、弾性粒状体のみを利用して粒状体層２４を形成させてもよく、硬質の粒状体のみを利用して形成させても良い。
また、弾性粒状体として、ＳＢＲや、ＥＰＤＭなどの合成ゴムや天然ゴムの粒を単体または組み合わせて用いてもよく、廃タイヤの粉砕物などのリサイクル品や、エラストマーなどを単体または組み合わせて用いてもよい。
また、硬質の粒状体として、珪砂やそれ以外の小石、陶器の粒、樹脂ペレットなどの粒状体を単体又は組み合わせて用いても良い。
また、本実施形態では、粒状体層２４を三層構造としているが、これに限るものではなく、二層以下に構成させてもよく、四層以上に構成させてもよく、また粒状体層２４を設けなくても良い。
【００１６】
４は緩衝材である。
緩衝材４はシート状に形成され、基礎層１と人工芝生２との間に配置されて敷設されている。
また、緩衝材４は弾性材料から形成され、人工芝生２上でスポーツなどを行った場合に、上方からの衝撃を緩和させ、競技者の足などへの負担を軽減できるようになされている。
緩衝材４を形成させる材料としては、一例として、天然ゴムや合成ゴム、ブタジエンスチレンゴム、ネオプレン、ブタジエンアクリロニトリルゴム、ブチルゴム、エチレンプロピレンターポリマー、ウレタン樹脂、ポリイソブチレン樹脂、ポリエチレン樹脂、エチレン酢酸ビニル共重合体、シリコン樹脂、軟質及び硬質塩化ビニル樹脂、スチレン−ブタジエン系やポリオレフィン系、ポリエステル系、ポリ塩化ビニル系、ポリウレタン系、ポリアミド系等のエラストマーなどの各種合成ゴムや合成樹脂等からなる弾性材やそれらを発泡させたもの等を用いることができ、本実施形態の緩衝材４は発泡させたポリエチレン樹脂を用いて形成させている。
【００１７】
図２は図１の緩衝材４を示す、（イ）は平面図であり、（ロ）は正面図であり、（ハ）は底面図であり、図３は図２の緩衝材４の斜視図である。
図２、３においては、緩衝材４の一部分のみを図示している。
緩衝材４の上面には溝部４１が形成され、下面には溝部４２が形成されている。
溝部４１は、縦方向に沿って直線状に形成された縦溝４１ａと、この縦溝４１ａと直交する直線状の横溝４１ｂとを備え、縦溝４１ａと横溝４１ｂとがそれぞれ緩衝材４の上面全体に亘って多数並設されて、溝部４１が格子状の溝形状に形成されている。
そして、緩衝材４の上面は、隣り合う縦溝４１ａと隣り合う横溝４１ｂとに囲われて矩形形状に形成された上面ユニット４４が縦方向及び横方向へ多数並設された形状に形成されている。
本実施形態の溝部４１は、各縦溝４１ａの溝幅と各横溝４１ｂの溝幅とがそれぞれ同じ大きさに形成されると共に、各縦溝４１ａ間の間隔と各横溝４１ｂ間の間隔とがそれぞれ同じ大きさに形成されており、溝部４１は正方形状の格子状に設けられている。
具体的には、各縦溝４１ａと各横溝４１ｂとは、それぞれの溝幅が３ｍｍに形成され、各縦溝４１ａ間の間隔及び各横溝４１ｂ間の間隔は、それぞれ３７ｍｍに形成されている。
【００１８】
また、溝部４２は、溝部４１と同様に、縦方向に沿って直線状に形成された縦溝４２ａと、この縦溝４２ａと直交する直線状の横溝４２ｂとを備え、縦溝４２ａと横溝４２ｂとがそれぞれ緩衝材４の下面全体に亘って多数並設されて、溝部４２が格子状の溝形状に形成されている。
そして、緩衝材４の下面は、隣り合う縦溝４２ａと隣り合う横溝４２ｂとに囲われて矩形形状に形成された下面ユニット４５が縦方向及び横方向へ多数並設された形状に形成されている。
本実施形態の溝部４２は、各縦溝４２ａの溝幅と各横溝４２ｂの溝幅とがそれぞれ前記縦溝４１や横溝４１ｂと同じ大きさに形成されると共に、各縦溝４１ａ間の間隔と各横溝４１ｂ間の間隔とがそれぞれ前記縦溝４１や横溝４１ｂの間隔と同じ大きさに形成されており、溝部４２は前記溝部４１と同じ大きさの正方形状の格子状に設けられている。
【００１９】
本実施形態の緩衝材４は、前記各縦溝４２ａが隣り合う縦溝４１ａの間に配置されるように形成されており、詳細には、隣り合う縦溝４１ａの中間に配置されるように形成されている。
また、各横溝４２ｂは、隣り合う横溝４１ｂの間に配置されるように形成されており、詳細には、隣り合う横溝４１ｂの中間に配置されるように形成されている。
【００２０】
また、本実施形態の緩衝材４は、各縦溝４１ａと各横溝４１ｂとをぞれぞれ同じ深さに形成させ、溝部４１全体を同じ深さに設けており、更に各縦溝４２ａと各横溝４２ｂとをそれぞれ同じ深さに形成させ、溝部４２全体を同じ深さに設けている。
具体的には、溝部４１の深さ、即ち上面から溝部４１の底までの大きさを、緩衝材４の厚さの二分の一を超える大きさに形成させており、溝部４２の深さ、即ち下面から溝部４２の底までの大きさを、緩衝材４の厚さの二分の一を超える大きさに形成させている。
また、緩衝材４や人工芝生２の敷設時や、人工芝生２の使用時に、緩衝材４が溝部４１や溝部４２の部分でちぎれるなど問題を抑制するため、その強度を低下させないように、溝部４１及び溝部４２の深さは、それぞれ緩衝材４の厚さの六分の五以下にするのが好ましい。
本実施形態の緩衝材４は、溝部４１の深さと溝部４２の深さとを、それぞれ同じ大きさに形成させている。
【００２１】
溝部４１と溝部４２とを、それぞれ緩衝材４の厚さの二分の一を越える大きさに形成することで、各縦溝４１ａと各横溝４２ｂとが交差する位置、及び各横溝４１ｂと各縦溝４２ａとが交差する位置に、緩衝材４を上方から下方へ貫通する貫通穴４３が形成される。
この貫通穴４３が形成されることで、上方に配置されて敷設された人工芝生２から流れ落ちる雨水などの水を、貫通穴４３を通じて下方へ流下させることができる。
また、この貫通穴４３が溝部４１の内部に形成されることで、人工芝生２から流れ落ちる水が、まず溝部４１内へ流れ込み、この溝部４１内を流れる水が貫通穴４３を通じて下方へ流下されるので、人工芝生２から効率よく排水できるようになされる。
更にこの貫通穴４３が溝部４２の内部に形成されることで、貫通穴４３を通じて流下した水が、溝部４２内を流れて効率良く排水されるようになされる。
【００２２】
また、緩衝材４の上面と下面とにそれぞれ溝部４１、溝部４２が形成されることで、その上方に敷設された人工芝生２と、下方の基礎層１との間に、熱膨張・収縮の差から位置ずれや歪みなどが生じた場合でも、緩衝材４が効果的にこれらを吸収し、人工芝生２への影響を抑制できる。
例えば、上方の人工芝生２が直射日光を受けるなどの要因によって温度が上昇し、下方の基礎層１より大きく熱膨張したときに、上面に形成された溝部４１の溝幅が、下面に形成された溝部４２の溝幅より大きくなるように緩衝材４が変形して両者の相対的な位置ずれを吸収し、人工芝生２の基布２２にしわが生じるなどの影響が抑制される。
また、冬場の気温低下や降雪などの要因によって人工芝生２の温度が低下し、下方の基礎層１より小さく熱収縮したときに、溝部４２の溝幅が、溝部４２より小さくなるように緩衝材４が変形して、両者の相対的な位置ずれを吸収できる。
【００２３】
本実施形態の緩衝材４は、上面の溝部４１と下面の溝部４２とをそれぞれ正方形状の格子状に形成させているので、上方に敷設させた人工芝生２と、下方の基礎層１などの層との間に熱膨張・収縮の差が生じた場合に、縦方向と横方向の両方の位置ずれや歪みなどを吸収して、その影響を抑制できる。
【００２４】
図４は図１の緩衝材の直下の層に不陸が存在している状況を示す図である。
図４では、緩衝材４の直下に配置されている基礎層１の上面に、上方へ凸状に突出する不陸部１１が存在している。
そして、基礎層１の上面に敷設される緩衝材４において、下面の不陸部１１に当接される部分が凹み変形し、不陸部１１の凸形状を緩衝材４で吸収させて、平坦となされた緩衝材４の上面に人工芝生２を敷設させた状況を表している。
詳細には、緩衝材４において、不陸部１１に当接された下面ユニット４５ａが凹み変形してその凸形状を吸収しているが、この不陸部１１による凹み変形が溝部４２で遮断されて、下面ユニット４５ａに隣接する下面ユニット４５ｂに凹み変形が及んでいない状況を表している。
【００２５】
このように、本実施形態の緩衝材４は、下面において、格子状に形成された溝部４２に囲われて設けられた矩形形状の下面ユニット４５が縦横方向に多数並設されて設けられているため、直下の層の不陸を吸収するときに、下面ユニット４５の変形が溝部４２で遮断されやすくなされ、隣接する下面ユニット４５の変形が抑制される。これにより、緩衝材４の変形を小さく抑えて効果的に直下の層の不陸を吸収できる。
【００２６】
また、図４では緩衝材４の直下の層の不陸を下面ユニット４５の変形で吸収する状況を説明しているが、これと同様に、緩衝材４は、その直上の層の凸凹を、上面において格子状に形成された溝部４１と、これに囲われて設けられた矩形形状の上面ユニット４４によって効果的に吸収できるようになされている。
即ち、緩衝材４は、その直上の層の凸凹を吸収するときに、この凸凹に当接された上面ユニット４４が変形してその凸凹形状を吸収するが、この変形は溝部４２で遮断されやすく、隣接する上面ユニット４４に及びにくくなされている。
【００２７】
また、溝部４１に囲われた上面ユニット４４は、直上の層の凸凹のみならず、上方の人工芝生２からの衝撃を効果的に吸収できる。
即ち、緩衝材４の上方に敷設された人工芝生２において、各種スポーツが行われる等して衝撃が加えられたとき、衝撃により生じる緩衝材４の上面における変形が、溝部４１で遮断されやすくなされ、狭い範囲での上面ユニット４４の変形によって効果的に衝撃を吸収できるようになされる
【００２８】
図５は本発明に係る人工芝生のリニューアル方法の実施の一形態を示す断面図である。
本実施形態の人工芝生のリニューアル方法は、基礎層１の上面に敷設された既設の人工芝生６をリニューアルするため、人工芝生６を撤去して新規の人工芝生を敷設するのではなく、既設の人工芝生６の上方に緩衝材４を敷設させ、更にその上方に新規の人工芝生２を敷設させるものである。
【００２９】
詳細には、既設の人工芝生６は、基布６２の表面側に芝葉６１が植設され、裏面側にバッキング材が塗布されている。そして各芝葉６１間には粒状体が充填された粒状体層６４が形成されている。
この既設の人工芝生６の上方に、緩衝材４を敷設させ、更にその上方に新規の人工芝生２を敷設させている。
本実施形態の人工芝生のリニューアル方法で用いられる緩衝材４と人工芝生２は図１〜３に示す実施形態と同じものである。
このように既設の人工芝生６の上方に、緩衝材４を介して新規の人工芝生２を敷設させることで、新規の人工芝生２と既設の人工芝生６との間に熱膨張・収縮などの差が生じても、両者の相対的な位置ずれや歪みなどを緩衝材４が吸収し、新規の人工芝生２への影響を抑制できる。
【００３０】
尚、本発明に係る人工芝生の敷設構造と人工芝生のリニューアル方法は、上記の実施形態に限定されるものではなく、本発明の要旨を逸脱しない範囲で、種々の変更が可能である。
【符号の説明】
【００３１】
１    基礎層
１１  不陸部
２    人工芝生
２１  芝糸
２２  基布
２３  バッキング材
２４  粒状体層
４    緩衝材
４１  溝部
４２  溝部
４３  貫通穴
４４  上面ユニット
４５  下面ユニット
【図１】
0005909311.tif 000002
【図２】
0005909311.tif 000003
【図３】
0005909311.tif 000004
【図４】
0005909311.tif 000005
【図５】
0005909311.tif 000006